(57)【要約】【課題】所定の分野について関心をもつ人或いは組織間での効果的な情報共有を実現する情報検索システム、情報検索装置、情報検索方法及びコンピュータ読み取り可能な記録媒体を提供することを目的とする。【解決手段】所定の検索条件に基づいて情報の検索を行う情報検索システム１であって、検索者により指定された検索条件を、該検索者の識別情報に対応して記憶する検索条件記憶手段１３０と、前記所定の検索条件をキーにして前記検索条件記憶手段１３０を検索して、前記所定の検索条件で検索した検索者の識別情報を抽出する検索者抽出手段１２０とを有することを特徴とする情報検索システム１。【選択図】図２
2008171349.tif 000002
【特許請求の範囲】
【請求項１】
所定の検索条件に基づいて情報の検索を行う情報検索システムであって、
検索者により指定された検索条件を、該検索者の識別情報に対応して記憶する検索条件記憶手段と、
前記所定の検索条件をキーにして前記検索条件記憶手段を検索して、前記所定の検索条件で検索した検索者の識別情報を抽出する検索者抽出手段と、
を有することを特徴とする情報検索システム。
【請求項２】
前記検索者の識別情報を、該検索者の属するグループ情報と共に記憶する検索者所属情報記憶手段と、
前記検索者抽出手段により抽出された検索者の識別情報をキーにして前記検索者所属情報記憶手段を検索して、前記検索者の属するグループ情報を抽出するグループ抽出手段と、
を有することを特徴とする請求項１に記載の情報検索システム。
【請求項３】
前記グループ抽出手段により抽出されるグループ情報は、グループ毎の検索者ののべ人数を含むことを特徴とする請求項２に記載の情報検索システム。
【請求項４】
前記検索者抽出手段により抽出された検索者の識別情報及び／又は前記グループ抽出手段により抽出されたグループ情報を出力する出力手段を有することを特徴とする請求項１乃至３のいずれか一項に記載の情報検索システム。
【請求項５】
所定の検索条件に基づいて情報の検索を行う情報検索装置であって、
検索者により指定された検索条件を、該検索者の識別情報と共に記憶する検索条件記憶手段と、
前記所定の検索条件をキーにして前記検索条件記憶手段を検索して、前記所定の検索条件で検索した検索者の識別情報を抽出する検索者抽出手段と、
を有することを特徴とする情報検索装置。
【請求項６】
検索者により指定された検索条件を、該検索者の識別情報と共に記憶する検索条件記憶部を有する情報検索システムにおける情報検索方法であって、
前記所定の検索条件をキーにして前記検索条件記憶部を検索して、前記所定の検索条件で検索した検索者の識別情報を抽出する検索者抽出工程を有することを特徴とする情報検索方法。
【請求項７】
請求項６に記載の情報検索方法をコンピュータに実行させるための情報検索プログラムを記録したコンピュータ読み取り可能な記録媒体。
【発明の詳細な説明】
【技術分野】
【０００１】
本発明は、情報検索システム、情報検索装置、情報検索方法及びコンピュータ読み取り可能な記録媒体に関する。
【背景技術】
【０００２】
現在、電子文書を管理するシステムの多くにおいて、登録対象である文書自体を検索する文書検索の機能以外に、文書作成者に着目したＫｎｏｗＷｈｏ検索の機能が備えられている。ＫｎｏｗＷｈｏ検索とは、特定のキーワードに関するスペシャリストを検索する機能である。特定のキーワードに関するスペシャリストを検索できることで、システムの利用者は、登録されている文書の内容に留まらず、そのスペシャリストが公開していない知識まで獲得できる機会を得る。
【０００３】
このように電子文書を管理するシステムにおける効果的な検索を実現することを目的として種々の発明がなされてきた。
【０００４】
特許文献１には、従来のマウス操作が持つ快適な操作環境を維持するとともに、１個のキーワードを指定するだけで、ユーザが関心のある情報を取得できる情報検索システム、情報検索端末、情報検索方法、並びに、プログラムおよび記録媒体に係る発明が開示されている。これにより、１個の入力キーワードでもユーザの意図した検索結果を得ることができる。
【特許文献１】特開２００６―０７９３６６号公報
【発明の開示】
【発明が解決しようとする課題】
【０００５】
ところで、従来技術及び特許文献１に開示された発明等では、そのシステムがカバーする範囲 (電子文書管理システムであれば、登録管理されている電子文書群) に十分な情報が蓄積されていないと、当然のことながらスペシャリストを探すことはできない。例えば、最先端の技術分野においてはこのようなことが起こり得る。このような場合、同じキーワードで検索した自分とは別の検索実行者が、情報を公開していないものの、スペシャリストとして十分な知識を有する可能性がある。
【０００６】
また、同じ分野に注目している人が、身近にいて同じように情報を収集しているということがしばしばある。そのような人を見付けられれば、お互いに情報を持ち合って共有したり、収集活動を分担したりするなど、情報収集を効率よく行うことが可能になる。
【０００７】
しかしながら、同じ分野について関心をもつ人或いは組織を容易に見つけられないという問題がある。
【０００８】
本発明は、上記の点に鑑みて、この問題を解消するために発明されたものであり、所定の分野について関心をもつ人或いは組織間での効果的な情報共有を実現する情報検索システム、情報検索装置、情報検索方法及びコンピュータ読み取り可能な記録媒体を提供することを目的とする。
【課題を解決するための手段】
【０００９】
上記の目的を達成するために、本発明の情報検索システムは、所定の検索条件に基づいて情報の検索を行う情報検索システムであって、検索者により指定された検索条件を、該検索者の識別情報に対応して記憶する検索条件記憶手段と、前記所定の検索条件をキーにして前記検索条件記憶手段を検索して、前記所定の検索条件で検索した検索者の識別情報を抽出する検索者抽出手段とを有するように構成することができる。
【００１０】
これにより、所定の分野について関心をもつ人同士の間での効果的な情報共有を実現することができる。
【００１１】
また、上記の目的を達成するために、本発明の情報検索システムは、前記検索者の識別情報を、該検索者の属するグループ情報と共に記憶する検索者所属情報記憶手段と、前記検索者抽出手段により抽出された検索者の識別情報をキーにして前記検索者所属情報記憶手段を検索して、前記検索者の属するグループ情報を抽出するグループ抽出手段とを有するように構成することができる。
【００１２】
これにより、所定の分野について関心をもつ人或いは組織の間での効果的な情報共有を実現することができる。
【００１３】
また、上記の目的を達成するために、本発明の前記グループ抽出手段により抽出されるグループ情報は、グループ毎の検索者ののべ人数を含むように構成することができる。
【００１４】
これにより、所定の分野について組織としての関心の度合い（重要視度）を把握することができる。
【００１５】
また、上記の目的を達成するために、本発明の情報検索システムは、前記検索者抽出手段により抽出された検索者の識別情報及び／又は前記グループ抽出手段により抽出されたグループ情報を出力する出力手段を有するように構成することができる。
【００１６】
これにより、所定の分野について関心をもつ人或いは組織の視覚化が可能になる。
【００１７】
また、上記の目的を達成するために、本発明の情報検索装置は、所定の検索条件に基づいて情報の検索を行う情報検索装置であって、検索者により指定された検索条件を、該検索者の識別情報と共に記憶する検索条件記憶手段と、前記所定の検索条件をキーにして前記検索条件記憶手段を検索して、前記所定の検索条件で検索した検索者の識別情報を抽出する検索者抽出手段とを有するように構成することができる。
【００１８】
これにより、所定の分野について関心をもつ人或いは組織の間での効果的な情報共有を実現する情報検索装置を提供することができる。
【００１９】
また、上記の目的を達成するために、本発明の情報検索方法は、検索者により指定された検索条件を、該検索者の識別情報と共に記憶する検索条件記憶部を有する情報検索システムにおける情報検索方法であって、前記所定の検索条件をキーにして前記検索条件記憶部を検索して、前記所定の検索条件で検索した検索者の識別情報を抽出する検索者抽出工程を有するように構成することができる。
【００２０】
これにより、所定の分野について関心をもつ人或いは組織の間での効果的な情報共有を実現する情報検索方法を提供することができる。
【００２１】
また、上記の目的を達成するために、本発明のコンピュータ読み取り可能な記録媒体は、前記情報検索方法をコンピュータに実行させるための情報検索プログラムを記録したコンピュータ読み取り可能な記録媒体であるように構成することができる。
【００２２】
これにより、所定の分野について関心をもつ人或いは組織の間での効果的な情報共有を実現する情報検索方法をコンピュータに実行させるための情報検索プログラムを記録したコンピュータ読み取り可能な記録媒体を提供することができる。
【発明の効果】
【００２３】
本発明の情報検索システム、情報検索装置、情報検索方法及びコンピュータ読み取り可能な記録媒体によれば、所定の分野について関心をもつ人或いは組織間での効果的な情報共有を実現することができる。
【発明を実施するための最良の形態】
【００２４】
以下、本発明を実施するための最良の形態を各実施形態において図面に基づいて説明する。以下に説明される内容により、所定の分野について関心をもつ人或いは組織間での効果的な情報共有を実現することが可能になる。
【００２５】
［実施形態１］
まず、本発明に係る第１の実施形態について図１〜２を用いて説明を行う。
【００２６】
（システム構成）
まず、本実施形態１に係る情報検索システムの概要について図１を用いて説明する。図１は、本実施形態１に係る情報検索システムの概要を示す図である。
【００２７】
図１において、情報検索システム１は、バスライン８０により相互接続されたＣＰＵ（Ｃｅｎｔｒａｌ  Ｐｒｏｃｅｓｓｉｎｇ  Ｕｎｉｔ）１０、メモリ２０、キーボード３０、表示装置４０、マウス５０、補助記憶装置６０、画像形成装置７０等を有する。
【００２８】
ＣＰＵ１０は、データ等の演算や処理を行う中央処理ユニット装置である。メモリ２０は、プログラムやデータ等を記憶する装置である。例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等である。キーボード３０は、プログラムやデータ等をユーザ操作に基づいて入力する装置である。
【００２９】
表示装置４０は、モニタ等の表示を行う装置である。例えば、電子メール等により通知された作業の依頼又は指示の内容等を画面上に表示する。マウス５０は、表示装置４０上に表示された一般にマウスカーソルと呼ばれる目印をユーザ操作に基づいて移動させると共に、その移動に基づいてデータを入力するためのポインティングデバイスである。
【００３０】
補助記憶装置６０は、フロッピー（登録商標）ディスクやハードディスク等の記憶媒体を収容する装置である。画像形成装置７０は、例えば、印刷を行うプリンタ等の画像形成を行う装置である。
【００３１】
以上の構成により、本実施形態１に係る情報検索システム１では、キーボード３０やマウス５０のようなインタフェースを用いたユーザ操作（入力）により情報検索の指示を受信し、受信した指示に基づいてメモリ２０や補助記憶装置６０に記憶された本発明に係る情報検索方法を実施させるプログラムにより、本発明の目的、即ち所定の分野について関心をもつ人或いは組織間での効果的な情報共有、を実現するための情報検索の処理を行う。
【００３２】
また、情報検索の処理の結果は、画像表示装置４０に表示されてもよいし、プリンタ等の画像形成装置７０により印刷されてもよい。
【００３３】
なお、本発明に係るシステム構成は、図１に示される構成に限らない。本発明に係る情報検索システムは、インターネット等のネットワークを介して接続されたクライアント／サーバーシステム等のシステム構成に対しても適用可能であるとする。
【００３４】
（機能の構成）
次に、本実施形態１に係る情報検索システムの機能の構成について図２を用いて説明する。図２は、本実施形態１に係る情報検索システムの機能の構成例を示す図である。
【００３５】
図２において、情報検索システム１は、入力手段１１０、検索者抽出手段１２０、検索履歴記憶手段（検索条件記憶手段）１３０、情報記憶手段１４０、情報出力手段１５０を有する。
【００３６】
入力手段１１０は、所定の検索条件を入力する。例えば、キーボード３０やマウス５０等のユーザ操作（入力）により指定された所定のキーワード等を検索条件として入力する。検索者抽出手段１２０は、所定の検索条件で検索を実行した検索実行者（検索者）を抽出する。また、抽出した検索実行者のリストを生成してもよい。例えば、ＣＰＵ１０の行う処理であり、入力手段１１０により入力された検索条件をキーにして後述の検索履歴記憶手段１３０を検索して、該入力された検索条件で検索した検索者の識別情報を抽出する。
【００３７】
検索履歴記憶手段１３０は、検索履歴（検索条件）を記録する。例えば、メモリ２０等である。なお、検索履歴とは、検索実行者を識別する情報、検索実行者が検索時に指定したキーワード等の検索条件、検索実行日時等を一組の情報としたものである。これらの情報を後述の情報記憶手段１４０に対して検索が実行される度に逐次記録する。情報記憶手段１４０は、複数の情報を記憶する。複数の情報とは、例えば当該情報検索システム１が管理するすべての文書情報等を示す。
【００３８】
情報出力手段１５０は、検索者抽出手段１２０により生成された検索者の識別情報のリスト等の情報を出力する。例えば、表示装置４０に表示したり、画像形成装置７０で印刷したりすることにより出力を行う。
【００３９】
以上の機能の構成により、本実施形態１に係る情報検索システム１では、検索履歴記憶手段１３０は、情報記憶手段１４０により記憶された複数の情報に対する検索履歴を記憶している。ここで、キーボード３０やマウス５０等を用いたユーザ操作により所定の検索条件が入力されると、入力手段１１０は、該所定の検索条件を入力する。続いて、検索者抽出手段１２０は、入力手段１１０により入力された検索条件をキーにして後述の検索履歴記憶手段１３０を検索して、該入力された検索条件で検索した検索者の識別情報を抽出し、抽出した検索実行者のリストを生成する等行う。情報出力手段１５０は、生成された検索実行者のリスト等の情報を出力する。
【００４０】
これにより、以下に掲げる利点を奏する。その利点とは、所定の分野について関心をもつ人同士の間での効果的な情報共有を実現することが可能になることである。即ち、ある分野について関心をもち、かつて情報収集した、あるいは今まさに情報収集している人について、検索履歴記憶手段１３０により記憶された検索記録である検索履歴を媒介として容易に見つけ出すことが可能になる。
【００４１】
［実施形態２］
次に、本発明に係る第２の実施形態について図３〜４を用いて説明を行う。
【００４２】
前述の実施形態１に係る情報検索システム１では、所定の分野について関心をもつ人同士の間での効果的な情報共有を実現することが可能になった。ここでは加えて、該人が属する所属組織等のグループの間での効果的な情報共有を実施する形態について説明を行う。まず、本実施形態２に係る情報検索システムのシステム構成は、実施形態１に係るそれと同様であるとしてここでは説明を省略する。
【００４３】
（機能の構成）  
次に、本実施形態２に係る情報検索システムの機能の構成について図３を用いて説明する。図３は、本実施形態２に係る情報検索システムの機能の構成例を示す図である。
【００４４】
図２において、情報検索システム１は、入力手段２１０、検索者抽出手段２２０、検索履歴記憶手段（検索条件記憶手段）２３０、情報記憶手段２４０、情報出力手段２５０、利用者情報記憶手段（検索者所属情報記憶手段）２６０、グループ抽出手段２７０を有する。
【００４５】
入力手段２１０、検索者抽出手段２２０、検索履歴記憶手段２３０、情報記憶手段２４０は、実施形態１に係るそれらと同様であるとしてここでは説明を省略する。その他の情報出力手段２５０、利用者情報記憶手段２６０、グループ抽出手段２７０について説明を行う。なお、便宜上情報出力手段２５０を最後に説明する。
【００４６】
利用者情報記憶手段２６０は、検索を実行できる利用者が所属する組織情報等のグループ情報を維持管理する。例えば、当該情報検索システム１の利用者（検索者を含む）の識別情報を、該利用者の所属するグループ情報と共に利用者情報として記憶する。
【００４７】
グループ抽出手段２７０は、所定の検索条件で検索を実行した検索実行者が所属する組織等のグループ情報を抽出する。また、抽出したグループ情報のリストを生成してもよい。例えば、検索者抽出手段２２０により抽出された検索者の識別情報をキーにして利用者情報記憶手段２６０を検索して、検索者の属するグループ情報を抽出する。  
情報出力手段２５０は、検索者抽出手段２２０により生成された検索者の識別情報のリスト及び／又はグループ抽出手段２７０により生成された検索実行者のグループのリスト等の情報を出力する。例えば、表示装置４に表示したり、画像形成装置７で印刷したりすることにより出力を行う。
【００４８】
以上の機能の構成により、本実施形態２に係る情報検索システム１では、実施形態１に係る情報検索システム１に加えて、利用者情報記憶手段２６０は、検索を実行できる利用者が所属する組織情報等のグループ情報を記憶している。ここで、キーボード３０やマウス５０等を用いたユーザ操作により所定の検索条件が入力されると、入力手段２１０は、該所定の検索条件を入力する。
【００４９】
続いて、検索者抽出手段２２０は、入力手段１１０により入力された検索条件をキーにして後述の検索履歴記憶手段１３０を検索して、該入力された検索条件で検索した検索者の識別情報を抽出し、抽出した検索実行者のリストを生成する等行う。また、グループ抽出手段２７０は、検索者抽出手段２２０により抽出された検索者の識別情報をキーにして利用者情報記憶手段２６０を検索して、検索者の属するグループ情報を抽出し、抽出した検索者のグループのリストを生成する等行う。情報出力手段２５０は、これらのリスト等の情報を出力する。
【００５０】
これにより、以下に掲げる利点を奏する。その利点とは、所定の分野について関心をもつ人或いは組織の間での効果的な情報共有を実現することが可能になることである。即ち、ある分野について関心をもち、かつて情報収集した、あるいは今まさに情報収集している人及び組織について、検索履歴記憶手段２３０及び利用者情報記憶手段２６０により記憶された情報を媒介として容易に見つけ出すことが可能になる。
【００５１】
なお、以降に示す動作例において、本実施形態２に係る情報検索システムを用いた動作について特に検索者抽出手段２２０及びグループ抽出手段２７０の動作が分かるように図４を用いて後述する。
【００５２】
（動作例）
次に、本実施形態２に係る情報検索システムを用いた動作例について図４を用いて説明する。図４は、本実施形態２に係る情報検索システムを用いた動作例を示す図である。
【００５３】
ここでは、本実施形態２に係る情報検索システムにおいて、登録された文書群に対する検索条件、ここではキーワード検索に係るキーワード、の履歴を媒介として、その情報検索システムの利用者の中から、所定のキーワードに関心をもつ利用者ならびに組織を見つけ出す動作を説明する。
【００５４】
まず、検索者抽出手段２２０は、検索履歴記憶手段２３０により記憶されたすべての検索履歴について処理したか否かを判定する（Ｓ１０１）。処理したと判定すると（Ｓ１０１、ＹＥＳ）、処理を終了する。処理していないと判定すると（Ｓ１０１、ＮＯ）、ステップＳ１０２以降で示される検索実行者のリスト生成に係る処理の対象となる情報が存在するので、ステップＳ１０２へ移る。
【００５５】
ステップＳ１０２へ移った場合、検索者抽出手段２２０は、所定のキーワードで検索された履歴であるか否かを判定する（Ｓ１０２）。所定のキーワードで検索された履歴であると判定すると（Ｓ１０２、ＹＥＳ）、ステップＳ１０３へ移る。所定のキーワードで検索された履歴でないと判定すると（Ｓ１０２、ＮＯ）、ステップＳ１０１へ戻る。
【００５６】
ステップＳ１０３へ移った場合、検索者抽出手段２２０は、検索者リストに登録済の検索者の履歴であるか否かを判定する（Ｓ１０３）。登録済の検索者の履歴であると判定すると（Ｓ１０３、ＹＥＳ）、ステップＳ１０４へ移って、検索者抽出手段２２０は、登録済の検索者の検索回数を１加算する（Ｓ１０４）。続いて、ステップＳ１０６へ移る。
【００５７】
また、ステップＳ１０３において登録済の検索者の履歴でないと判定すると（Ｓ１０３、ＮＯ）、ステップＳ１０５へ移って、検索者抽出手段２２０は、検索者リストに新規登録する（Ｓ１０５）。続いて、ステップＳ１０６へ移る。
【００５８】
ステップＳ１０６へ移って、グループ抽出手段２７０は、組織リストに登録済の検索者の履歴であるか否かを判定する（Ｓ１０６）。登録済の検索者の履歴であると判定すると（Ｓ１０６、ＹＥＳ）、ステップＳ１０７へ移って、グループ抽出手段２７０は、登録済の組織の検索回数を１加算する（Ｓ１０７）。続いて、ステップＳ１０１へ戻る。
【００５９】
また、ステップＳ１０６において登録済の検索者の履歴でないと判定すると（Ｓ１０６、ＮＯ）、ステップＳ１０８へ移って、グループ抽出手段２７０は、組織リストに新規登録する（Ｓ１０８）。続いて、ステップＳ１０１へ戻る。
【００６０】
以上の処理を繰り返すことにより、本実施形態２に係る情報検索システムにおいて、登録された文書群に対する検索条件、ここではキーワード検索に係るキーワード、の履歴を媒介として、その情報検索システムの利用者の中から、所定のキーワードに関心をもつ利用者ならびに組織を見つけ出す動作を行う。
【００６１】
これにより、以下に掲げる利点を奏する。その利点とは、所定の分野について関心をもつ人或いは組織の間での効果的な情報共有を実現することが可能になることである。即ち、ある分野について関心をもち、かつて情報収集した、あるいは今まさに情報収集している人及び組織について、容易に見つけ出すことが可能になる。
【００６２】
また、特にステップＳ１０４及びステップＳ１０７に係る処理などで検索回数を抽出することにより、あるキーワードをもとに情報収集した、或いは今まさに情報収集しているとして見つけ出した人及び組織について、その関心の度合い（重要視度）を把握することができる。該当する組織を表示する際には、そのキーワードで検索した所属者ののべ人数をあわせて表示することで、組織としての関心の度合いを視覚化できる。
【００６３】
なお、以上本発明に係る情報検索システムについて説明してきたが、本発明は、電子文書管理システム等にも適用可能である。また、上記各実施形態に係る図２又は３に示される各手段の動作を制御する図示しない制御手段が備えられていてもよいものとする。
【００６４】
以上、各実施形態に基づき本発明の説明を行ってきたが、上記実施形態にあげたその他の要素との組み合わせなど、ここで示した要件に本発明が限定されるものではない。これらの点に関しては、本発明の主旨をそこなわない範囲で変更することが可能であり、その応用形態に応じて適切に定めることができる。
【図面の簡単な説明】
【００６５】
【図１】本実施形態１に係る情報検索システムの概要を示す図
【図２】本実施形態１に係る情報検索システムの機能の構成例を示す図
【図３】本実施形態２に係る情報検索システムの機能の構成例を示す図
【図４】本実施形態２に係る情報検索システムを用いた動作例を示す図
【符号の説明】
【００６６】
１  情報検索システム
１１０、２１０  入力手段
１２０、２２０  検索者情報生成手段
１３０、２３０  検索履歴記憶手段
１４０、２４０  検索履歴手段
１５０、２５０  情報出力手段
２６０  利用者情報記憶手段
２７０  検索者グループ情報生成手段
【図１】
2008171349.tif 000003
【図２】
2008171349.tif 000004
【図３】
2008171349.tif 000005
【図４】
2008171349.tif 000006